(57)【要約】      （修正有）【課題】チョコボールやラムネ菓子その他のシートに封入された小型菓子の食べすぎを防止し、手指の運動もできる玩具を提供する。【解決手段】円形の突起１２からなる菓子押出部と略長方形板状の押圧板１１を有する押圧部と、前記押圧部の下側に設けられ、前記菓子押出部と対応する場所に菓子が通過できる径の孔を有する台座板２１と、台座板２１の下側に設けられ、複数の凸部２５が設けられたゲームボード２３を内蔵した中空箱形状のゲーム部２とを有する。【選択図】図１
2015216943.tif 000002
【特許請求の範囲】
【請求項１】
円形の突起からなる押出部と略長方形板状の押圧板を有する押圧部と、
前記押圧部の下側に設けられ、前記菓子押出部と対応する場所に球状または錠剤状の菓子が通過できる径の孔を有し、複数の凸部が立設されたゲームボードを底面に備え、側面の一部分に球状または錠剤状の菓子が通過できる大きさの開口部を有した中空箱形状のゲーム部と、を有することを特徴とする玩具。
【請求項２】
前記凸部は、ゲームボードに立設された略長方形の塀であることを特徴とする請求項１に記載の玩具。
【請求項３】
前記凸部は、ゲームボードに立差設された釘を含むことを特徴とする請求項１に記載の玩具。
【発明の詳細な説明】
【技術分野】
【０００１】
本発明は、マーブルチョコやラムネその他の菓子形状の菓子を入れて遊べる玩具に関する。
【背景技術】
【０００２】
電車やバスでの移動中または待ち時間に、時間をつぶしたり退屈しのぎをする手段として、菓子を食べたり、携帯ゲーム機を楽しんで過ごす手段が用いられる。また、電車の中で子供が退屈してぐずりだしたような場合も、菓子を与えたりゲームを与えたりする。チョコボールや、ラムネなど、シートに個別に封入された形態の菓子は、どこでも気軽に食することができ、子供からお年よりまで楽しめる菓子であるが、すぐに食べ終えてしまうため、時間つぶしのために食べていると、ついつい食べ過ぎてしまう。電車の中や車での移動中、退屈しのぎや時間つぶしのために子供に菓子を与えていると、糖類を多量に摂取させてしまうことにつまがる。携帯ゲーム機は、バッテリーが内蔵されたものが一般的であり、バッテリー持続時間に限りがあるため、長時間使用していると途中でバッテリーが切れて使えなくなってしまうことがある。
【先行技術文献】
【特許文献】
【０００３】
【特許文献１】特開２０００−１２６４６６号
【発明の概要】
【発明が解決しようとする課題】
【０００４】
特許文献１のゲーム機は、バッテリーが内蔵され、ディスプレイにゲーム画面を表示させ、外部電源のない野外でも気軽にゲームが楽しめる。しかし、バッテリーが内蔵されているため、ゲーム機本体の重量が重くなるというデメリット、また、バッテリー持続時間に制限があり、長時間使用することが難しいというデメリットがある。さらに、内部に精密機械が内蔵されているため、誤って落下させてしまったり、衝撃が加わると壊れてしまうことから、幼い子供には持たせられないという問題もあった。
【０００５】
そこで、この発明の目的は、チョコボールやラムネ等のシートに個別に封入された菓子形状の菓子を、シートから押し出すと同時に、該菓子をコマとして迷路ゲームを楽しむことで、バッテリー等、電気を供給することなく、長時間ゲームが楽しめ、さらに、菓子一粒を十分時間をかけて楽しんで食することで菓子の食べすぎ防止もできる玩具を提供することにある。
【課題を解決するための手段】
【０００６】
この発明の玩具は、円形の突起からなる菓子押出部と略長方形板状の押圧板を有する押圧部と、前記押圧部の下側に設けられ、前記菓子押出部と対応する場所に球状または錠剤状の菓子が通過できる径の孔を有し、複数の凸部が立設されたゲームボードを底面に備え、側面の一部分に球状または錠剤状の菓子が通過できる大きさの開口部を有した中空箱形状のゲーム部と、を有することを特徴とする。
【０００７】
この発明によれば、菓子が封入されたシートを台座部の上に載置し、押圧板を押せば、シートから菓子が押し出され、台座部の孔から直下にあるゲーム部に落ちる。玩具全体を上下左右に揺らして、ゲーム部の中の菓子を出口から出すことで、頭の体操及び手指の運動ができ、気分転換に最適である。また、菓子のかわりにシートに封入された錠剤薬を用いることもでき、入院中の患者がゲームを楽しむように薬を服用することもできる。
【０００８】
また、この発明の玩具の凸部は、ゲームボードに立設された長方形状の塀であることを特徴とする。
【０００９】
この発明によれば、ゲーム部を上下左右に揺らして、菓子を出口まで誘導させる過程をゲーム感覚で楽しむことができる。菓子を次から次へと口に放り込むことなく、一粒を長時間かけて楽しむことができ、食べすぎ防止ができると共に、手指の運動と頭の体操も行うことができる。子供が遊ぶ用途のほか、入院中の者にとっては退屈しのぎ、高齢者には認知症の防止にも役立つ。
【００１０】
また、この発明の玩具の凸部は、ゲームボードに立差設された釘を含むことを特徴とする。
【００１１】
この発明によれば、ゲーム部を上下左右に揺らして、菓子を出口まで誘導させる過程をゲーム感覚で楽しむことができる。また、ゲームボードに釘を複数立設させることにより、菓子Ｔの進む方向がランダムに変わるので、ゲーム菓子を次から次へと口に放り込むことなく、一粒を長時間かけて楽しむことができ、食べすぎ防止ができると共に、手指の運動と頭の体操も行うことができる。
【図面の簡単な説明】
【００１２】
【図１】この発明の実施の形態１にかかる玩具１００を示す左側面図である。
【図２】図１の玩具１００を示す平面図である。
【図３】図１の玩具１００を示す底面図である。
【図４】図１の玩具１００を示す背面図である。
【図５】図１の玩具１００を示す正面図である。
【図６】図１の玩具のＡ−Ａ断面図である。
【図７】図１の玩具１００の使用状態を示す参考図である。
【図８】図２の玩具１００のＢ−Ｂ断面図であって、玩具１００の使用方法を説明する参考図である。
【図９】図８（ｃ）のＣ−Ｃ断面図であって、玩具１００の使用方法を説明する参考図である。
【図１０】この発明の実施の形態２にかかる玩具２００を示す左側面図である。
【図１１】図１０の玩具２００の使用方法を説明する参考図断面図である。
【図１２】図１１（ｃ）のＤ−Ｄ断面図であって、玩具２００の使用方法を説明する参考図である。
【発明を実施するための形態】
【００１３】
（実施の形態１）
図１は、この発明の実施の形態１にかかる玩具１００を示す左側面図であり、図２は、図１の玩具１００を示す平面図である。図３は、図１の玩具１００を示す底面図であり、図４は、図１の玩具１００を示す背面図である。図５は、図１の玩具１００を示す正面図であり、図６は、図１の玩具のＡ−Ａ断面図である。
【００１４】
図１に示すように、本発明の玩具１００は、押圧部１、ゲーム部２を主に有する。押圧部１は、略長方形板状の押圧板１１と押圧板１１の先端近傍に設けられた菓子押出部である円形突起１２からなる。ゲーム部２は、中空の略長方体形状であって、上面は台座板２１が設けられ、下面はゲームボード２３となっている。ゲーム部２の中空内であって、ゲームボード２３の上面には、複数の凸部２５が設けられているゲーム部２の左側には側面２４ａが設けられている。ゲーム部２の右側は左側と同じように側面２４ｂ（不図示）が設けられている。
【００１５】
押圧部１の端縁であって、円形突起１２が設けられている端とは対向する端縁には、接続具１３が設けられている。接続具１３は、回転軸の周りに巻きバネを設けた接続具である。接続具１３が設けられていることによって、押圧部１は、接続具１３が設けられている押圧部１と台座板２１の端縁を回転軸として、台座板２１に対し０度から上方へ３０度の角度に、回転可能となっている。
【００１６】
押圧板１１は、接続具１３の回転軸に設けられた巻きバネによって、何も力を加えない状態では、台座板２１に対して、およそ３０度前後の角度になっている。押圧板１１を押すと、押圧板１１は台座板２１と平行（０度の角度）になるが、押圧板１１から手を離せば、接続具２の巻きバネの作用により、元の３０度前後の角度に戻る。そのため、押圧板１１を押さない状態では、押圧板１１と台座板２１の間に空間が形成され、台座板２１に菓子を載せる作業が容易に行えるようになっている。
【００１７】
図２に示すように、台座板２１の下には、ゲーム部２が設けられている。ゲーム部２は、中空箱状であって、中空内にはゲームボード２３が設けられている。ゲーム部２の上面は、台座板２１となっている。台座板２１には、孔２２が設けられており、孔２２は、押圧板１１を台座板２１に重ねた際に、円形突起１２と対向する場所に設けられている。
【００１８】
ゲームボード２３の上には、複数の凸部２５が取り付けられている。凸部２５は、ゲームボード２３に垂直に立設された略長方形状の塀である。凸部２５は、所定の間隔をあけて複数設けられておいる。隣接する凸部同士の間隙は、ボールとして使用する菓子の大きさに合わせて設けると良い。チョコボール用の玩具では凸部２５同士の間隔は８ミリメートルから１２ミリメートルが適当であり、仁丹等、小さい径の菓子用の玩具では、３ミリメートルから６ミリメートルが最適である。使用する菓子の大きさにあわせて、様々な間隙で凸部２５を設けた複数のゲームボード２３を用意して、使用する菓子に合わせてゲームボード２３を入れ替えて使用できるようにしても良い。
【００１９】
本実施の形態１００では、ゲーム部２の底面となるゲームボード２３及び上面の台座板２１は、プラスチックや樹脂その他の、透明または半透明の素材でできている。ゲームボード２３及び台座板２１が透明または半透明であることで、ゲーム部２に入っている菓子が上からでも下からでも目視で確認しやすい。側面２４ａ及び２４ｂも透明または半透明の素材で作っても良い。
【００２０】
図３に示すように、玩具１００は、底面が透明または半透明であるので、仰向けに寝た状態でも使用できる。仰向けに寝た状態で、現具を顔の上にかざし、ゲーム部２を底面から見て菓子を出口まで誘導させるゲームを行うことができるので、入院中の退屈しのぎ、寝たきりの高齢者の手指と頭の体操にも役立つ。
【００２１】
図４に示すように、玩具１００のゲーム部２の短手方向の側面は背面２８となっている。背面２８には略長方形の開口部である出口部２７が設けられている。出口部２７の形状は、略長方形に限られず、円形、楕円形その他の形状でも良い。また、出口部２７に、開閉可能な扉を取り付けても良い。出口部２７の孔の直径は、ボールとして使用する菓子の大きさにあわせると良い。
【００２２】
図５に示すように、玩具１００のゲーム部２の短手方向の側面は、正面２９となっている。正面２９には、開口は設けられていない。
【００２３】
図６に示すように、ゲームボード２３には、複数の凸部２５が設けられている。本実施の形態１００の玩具１００では、凸部２５を５つ設けているが、凸部の数は増減させても良く、形状を変えたり、位置を変えたりしても良い。数を増やせば、菓子を出口部２７まで誘導させるのが難しくなるので、難易度が上がる。初級用、中級用、上級用と、複数のゲームボード２３を様子すると、使用する者が飽きずにトライすることができるし、また、ゲームボード２３を交換するだけで子供からお年よりまで楽しめるので、家族で共有することもできる。
【００２４】
図７は、図１の玩具１００の使用状態を示す参考図である。図８は、図２の玩具１００のＢ−Ｂ断面図であって、玩具１００の使用方法を説明する参考図であり、図９は、図８（ｃ）のＣ−Ｃ断面図であって、玩具１００の使用方法を説明する参考図である。
【００２５】
図７に示すように、玩具１００は、人差し指を押圧部１の先端近傍の円形突起１２の真上付近にあて、親指をゲーム部２の下側にあて、玩具１００を包み込むように片手で持って使用する。このように持つと、ベッドに寝たまま玩具１００を操作する際も、操作が容易である。または、親指を押圧部１の円形突起１２の上に添え、親指以外の指をゲーム部２の下面をつつむようにして持っても良い。
【００２６】
また、本実施の形態１にかかる玩具１００は、手で保持して操作する以外に、テーブルの上や布団の上に玩具１００を置いた状態で、押圧板１１を手全体で押したり、床の上に玩具１００を置いて、押圧板１１を足で踏んで圧迫したりしても操作することが可能である。手指の細かい作業が困難で、指の力も弱い高齢者等の場合は、手全体で押したり、足で踏みつけたりして菓子をゲーム部２内に押し出したあと、玩具１００を手に持ち、菓子を出口部２７に誘導するようにしても良い。
【００２７】
次に、図８及び図９を示し、菓子シートから菓子を取り出してゲームを楽しむ手順を説明する。
【００２８】
菓子シートは１つのシートに複数の菓子が並んでいる。菓子シートＳは、菓子Ｔが中央に封入されており、封入された部分は盛り上がって菓子封入部Ｕを形成している。
【００２９】
まず、図８（ａ）のように、菓子シートＳを台座板２１上の孔２２近傍に載置する。台座板２１は床に対して平行に設けられており、台座板２１と押圧板１１の間には、スペースが開いているので、菓子シートＳを載置しやすい。
【００３０】
菓子シートＳを台座板２１に載置できたら、押圧板１１の上から矢印方向に押す。すると、図８（ｂ）に示すように、押圧板１１に設けられた円形突起１２が、菓子シートＳの菓子封入部Ｕを押圧して、菓子封入部Ｕがつぶれ、菓子封入部Ｕの下側にあるアルミ箔が破れ、菓子Ｔが押し出される。菓子封入部Ｕの直下には孔２２があるので、押し出された菓子Ｔは、孔２２を通過してゲーム部２の中に落下する。
【００３１】
図８（ｃ）に示すように、菓子Ｔがゲーム部２の中に入ったら、接続具１３の設けられた側が下方になるよう、玩具１００を傾ける。玩具１００を傾けることによって、菓子Ｔが出口部２７の方向に落ちやすくなる。
【００３２】
それから、図９（ｄ）から（ｇ）のように、菓子Ｔが凸部２５と凸部２５の間を通っていくように、玩具１００を傾けたり振ったりして誘導する。うまく出口  部２７近傍まで誘導できたら、出口部２７から菓子Ｔを取り出し、食する。
【００３３】
（実施の形態２）
次に、図１０を参照して、実施の形態２にかかる玩具２００を説明する。図１０は、この発明の実施の形態２にかかる玩具２００を示す左側面図である。図１１は、図１０の玩具２００の使用方法を説明する参考図断面図であり、図１２は、図１１（ｃ）のＤ−Ｄ断面図であって、玩具２００の使用方法を説明する参考図である。
【００３４】
玩具２００は、ゲームボード２３の上に凸部として釘２０を設けた形態である。釘２０は、釘をゲームボード２３に立設して設けても良いし、釘の変わりに、ゲームボード２３に突起を立設することによって設けても良い。略長方形の凸部２５と釘２０を両方設けても良い。突起や凸部２５は、プラスチックや樹脂素材で、ゲームボード２３と一体で型抜き成型しても良い。ゲームボード２３に釘２０が設けられている以外の部分は、実施の形態１と同様であるため、説明を省略する。
【００３５】
実施の形態２で使用する菓子は、チェコボールや仁丹等、小さめの球状物で、転がしやすい形状のものが良い。実施の形態２の玩具２００は、菓子Ｔを押し出してゲーム部２の中に入れたあと、玩具２００を揺らしたり傾けたりするほか、ゲームボード２３の上にレバーやボタンを設けて、ゲームボード２３の裏側からレバーやボタンを操作してゲーム部２の中の菓子Ｔを動かせるようにしても良い。
【００３６】
本実施の形態では、ゲーム部２は、ゲームボード２３の上に凸部２５や釘２０を固定したものを取り付けた構成としたが、ゲームボード２３に、複数の溝を設けて、菓子がゲーム部２の中で、ゲームボード２３上に設けられた溝に沿って転がせるようにしてゲーム部２としても良い。さらに、ゲームボード２３はスライドさせて着脱可能とし、凸部２５や釘２０の数や位置が異なる数種類のゲームボード２３を適時入れ替えて使用できるようにしても良い。
【００３７】
本実施の形態では、台座板２１には孔２２のみを設ける構成としたが、台座板２１の上に、菓子シートを固定するためのストッパーを設けても良い。ストッパーと台座板との間隙に菓子シートを滑り込ませて挟み、菓子シートを固定できるようにすれば、菓子シートの設定が容易である。
【符号の説明】
【００３８】
１００，２００  玩具
１  押圧部
１１  押圧板
１２  円形突起
１３  接続具
２  ゲーム部
２０  釘
２１  台座板
２２  孔
２３  ゲームボード
２４ａ，２４ｂ  側面
２５  凸部
２７  出口部
２８  背面
２９  正面
３  菓子シート固定板
３１  挟持部
３２  バネ
Ｔ  菓子
Ｓ  菓子シート
Ｕ  菓子封入部
Ｈ  手
【図１】
2015216943.tif 000003
【図２】
2015216943.tif 000004
【図３】
2015216943.tif 000005
【図４】
2015216943.tif 000006
【図５】
2015216943.tif 000007
【図６】
2015216943.tif 000008
【図７】
2015216943.tif 000009
【図８】
2015216943.tif 000010
【図９】
2015216943.tif 000011
【図１０】
2015216943.tif 000012
【図１１】
2015216943.tif 000013
【図１２】
2015216943.tif 000014